(57)【要約】【課題】収容された物品の取り出しが容易な包装箱を提供する。【解決手段】包装箱１は、天面１０と、天面１０と対向する底面１４と、天面１０および底面１４に連接された側面１２，１６と、天面１０に連接された外蓋面２０および背面２４と、底面１４に連接された正面内蓋２２および背面内蓋２６と、側面１２，１６にそれぞれ連接された正面側サイドフラップ３０と、天面１０の連接方向の一方の端部に延設され、側面１６に糊付けして筒体に組み立てるための糊代面１８と、天面１０の外蓋面２０との境界の折り曲げ破断線５４側から、側面１２および側面１６の途中までの間に設けられた２本の破断線４４と、天面１０に設けられ、２本の破断線４４の端部同士を結ぶように形成された折り曲げ破断線５０と、外蓋面２０に設けられた開封片４０と、を備えた。【選択図】  図１
2019089560.tif 000002
【特許請求の範囲】
【請求項１】
天面と、
前記天面と対向する底面と、
前記天面および前記底面に連接された第１側面および第２側面と、
前記天面に連接された正面側外蓋面と、
前記底面に連接された正面側内蓋面と、
前記天面と前記底面との何れかにそれぞれ連接された背面側外蓋面および背面側内蓋面と、
前記第１側面および前記第２側面にそれぞれ連接されたサイドフラップと、
前記天面、前記底面、前記第１側面、前記第２側面の連接方向の一方の端部に延設され、他方の端部に糊付けして筒体に組み立てるための糊代面と、
前記天面の前記正面側外蓋面との境界の折罫線側から、前記天面の途中までもしくは前記第１側面、前記第２側面、および前記糊代面のうちいずれか一つ以上の途中までの間のいずれかの領域に向けて延伸した２本の破断線と、
前記天面に設けられ、前記２本の破断線の前記折罫線側とは反対側の端部同士を結ぶように形成された天面上折罫線と、
前記正面側外蓋面に設けられた開封片と、
前記開封片の縁上端から前記正面側外蓋面の左右縁部に達する１対の開封用破断線と、を備え、
前記サイドフラップがそれぞれ開口部の内側に折り曲げられ、その上に前記正面側内蓋面が折り重ねられた後、前記正面側外蓋面が前記正面側内蓋面の表面に糊着されるとともに、前記背面側内蓋面が折り重ねられた後、前記背面側外蓋面が前記背面側内蓋面の表面に糊着されて開口部を閉封する
ことを特徴とする包装箱。
【請求項２】
請求項１に記載の包装箱において、
前記破断線は、前記天面と前記第１側面または前記第２側面との境界となる折罫線部分、または前記天面と前記糊代面との境界となる折罫線部分に設けられている
ことを特徴とする包装箱。
【請求項３】
請求項１または請求項２に記載の包装箱において、
前記開封片を差し込むための差込口が前記天面に形成されている
ことを特徴とする包装箱。
【請求項４】
請求項３に記載の包装箱において、
前記差込口は、前記天面上折罫線の線上に形成されている
ことを特徴とする包装箱。
【請求項５】
請求項４に記載の包装箱において、
前記開封片の根元から前記正面側外蓋面と前記天面との境界の折罫線までの距離と、前記正面側外蓋面と前記天面との境界の折罫線から前記差込口までの距離が等しい
ことを特徴とする包装箱。
【請求項６】
請求項１乃至５のいずれか１項に記載の包装箱において、
前記正面側外蓋面には、記載欄が設けられている
ことを特徴とする包装箱。
【請求項７】
請求項１乃至６のいずれか１項に記載の包装箱において、
前記サイドフラップと前記正面側内蓋面とが固定されていない
ことを特徴とする包装箱。
【請求項８】
請求項１乃至７のいずれか１項に記載の包装箱において、
前記天面上折罫線は、折り曲げ破断線となっている
ことを特徴とする包装箱。
【発明の詳細な説明】
【技術分野】
【０００１】
本発明は、医薬品その他各種の物品を包装するのに使用する包装箱に関する。
【背景技術】
【０００２】
蓋部を容易に開封することができ、且つ異物の侵入や被梱包物の漏出を防止可能な包装ケースの一例として、特許文献１には、差し込み片と重なる箱体の側面上端には円弧状の切り欠き部が形成されており、差し込み片には、円弧状の切り込みで囲まれた押し込み片が切り欠き部と対面する箇所に設けられ、この押し込み片を内側に押し込むことにより、蓋部を持ち上げるための指掛け孔を形成し、切り込みは切り欠き部よりも大きく形成されており、蓋部を閉じた状態では押し込み片が外側に突出しないようになっている包装ケースが記載されている。
【先行技術文献】
【特許文献】
【０００３】
【特許文献１】特開２００７−２５３９６６号公報
【発明の概要】
【発明が解決しようとする課題】
【０００４】
一般に、病院や調剤薬局などの医療機関では、包装箱に包装された医薬品が包装箱に入れられた状態で、保管棚や保管ケースなどの医薬品の保管場所に保管されることが少なくない。
【０００５】
この種の包装箱としては、特許文献１などに開示されているように、基本構成として、正面、背面、左右両側面の４側面と、左右両側面の上下各端部からそれぞれ４側面の上下開口側に延びるサイドフラップと、正面、背面の上下各端部から４側面の上下開口側を塞ぐ天面及び底面とを備えているものがある。
【０００６】
このような包装箱において、錠剤やカプセルなどを包装する箱にあっては、錠剤やカプセルが複数個ずつ１枚のＰＴＰ（Ｐｒｅｓｓ  Ｔｈｒｏｕｇｈ  Ｐａｃｋ）シートに収納され、さらに選択的にアルミ包材パックに封入されるので、全体として、複数枚単位のＰＴＰシート全体又はアルミ包材パック全体の大きさ、形状に適合する大きさの直方体形状に形成される。また、液状の薬剤にあっては、薬剤がバイアルなどに収納されるので、全体として、バイアルなどの大きさ、形状に適合する大きさの直方体形状に形成され、さらに箱内部には緩衝材が付設される。
【０００７】
なお、この包装箱は天面が開閉される場合の構成であるが、側面が開閉される箱の場合でも、開閉される側面を天面と、開閉される側面の対向面を底面と見立てれば、全体の構成は同様である。
【０００８】
このような包装箱では、収容された医薬品を取り出す際には、保管棚や保管ケースからテーブルなどの開けたスペースに包装箱を一度移動させた後に天面を開いて医薬品を取り出す必要がある。また、取り出した後には天面を閉じた後に保管棚等に戻す必要がある。このような手順を取る必要があることから、中に収容された医薬品の取り出しに手間が掛かる、との課題がある。
【０００９】
本発明はこのような課題に鑑みなされたものであって、収容された物品の取り出しが容易な包装箱を提供することを目的とする。
【課題を解決するための手段】
【００１０】
本発明は、上記課題を解決する手段を複数含んでいるが、その一例を挙げるならば、天面と、前記天面と対向する底面と、前記天面および前記底面に連接された第１側面および第２側面と、前記天面に連接された正面側外蓋面と、前記底面に連接された正面側内蓋面と、前記天面と前記底面との何れかにそれぞれ連接された背面側外蓋面および背面側内蓋面と、前記第１側面および前記第２側面にそれぞれ連接されたサイドフラップと、前記天面、前記底面、前記第１側面、前記第２側面の連接方向の一方の端部に延設され、他方の端部に糊付けして筒体に組み立てるための糊代面と、前記天面の前記正面側外蓋面との境界の折罫線側から、前記天面の途中までもしくは前記第１側面、前記第２側面、および前記糊代面のうちいずれか一つ以上の途中までの間のいずれかの領域に向けて延伸した２本の破断線と、前記天面に設けられ、前記２本の破断線の端部同士を結ぶように形成された天面上折罫線と、前記正面側外蓋面に設けられた開封片と、前記開封片の縁上端から前記正面側外蓋面の左右縁部に達する１対の開封用破断線と、を備え、前記サイドフラップがそれぞれ開口部の内側に折り曲げられ、その上に前記正面側内蓋面が折り重ねられた後、前記正面側外蓋面が前記正面側内蓋面の表面に糊着されるとともに、前記背面側内蓋面が折り重ねられた後、前記背面側外蓋面が前記背面側内蓋面の表面に糊着されて開口部を閉封することを特徴とする。
【発明の効果】
【００１１】
本発明によれば、収容された物品の取り出しが容易な包装箱を提供することができる。上記した以外の構成および効果は、以下の実施形態の説明により明らかにされる。
【図面の簡単な説明】
【００１２】
【図１】本発明の実施形態の包装箱の展開図である。
【図２】本実施形態の包装箱の使用状態の一例を示す図である。
【図３】本実施形態の包装箱の使用状態の他の一例を示す図である。
【図４】本実施形態の包装箱の使用状態の他の一例を示す図である。
【図５】本発明の実施形態の包装箱の他の一例の展開図である。
【図６】本発明の実施形態の包装箱の更に他の一例の展開図である。
【図７】本発明の実施形態の包装箱の更に他の一例の展開図である。
【図８】本発明の実施形態の包装箱の更に他の一例の展開図である。
【図９】本発明の実施形態の包装箱の更に他の一例の展開図である。
【発明を実施するための形態】
【００１３】
本発明の包装箱の実施形態を、図１乃至図９を用いて説明する。なお、図１乃至図９においては、医薬品を包装する包装箱に適用した場合を例に挙げて説明する。
【００１４】
＜構造＞
最初に、包装箱の構造について図１を用いて説明する。図１は本実施形態の包装箱の展開図である。
【００１５】
図１において、包装箱１は、天面１０と、天面１０と対向する底面１４と、天面１０および底面１４に連接された側面１２，１６と、天面１０に連接された外蓋面２０および背面２４と、底面１４に連接された正面内蓋２２および背面内蓋２６と、天面１０、底面１４、側面１２、側面１６の連接方向のうち天面１０の一方の端部に延設され、他方の端部である側面１６に糊付けして筒体に組み立てる際の糊代となる糊代面１８と、を備えている。
【００１６】
また、包装箱１は、側面１２，１６の正面側になる端部側にそれぞれ連接された正面側サイドフラップ３０と、側面１２，１６の背面側になる端部側にそれぞれ連接された背面側サイドフラップ３２とを備えている。
【００１７】
外蓋面２０は、開封片４０と、開封用破断線４２とを有している。開封片４０は、外蓋面２０の上端中央部に設けられている。開封用破断線４２は、開封片４０の右縁下端または左縁下端に連接して始まり、外蓋面２０の右縁部または左縁部に達している。開封用破断線４２は、切断部分と止め部分が交互に繰り返すことにより形成されている。
【００１８】
外蓋面２０上には、開封片４０の右縁と開封用破断線４２と外蓋面２０の右縁と外蓋面２０の上端縁とに囲まれる領域、および開封片４０の左縁と開封用破断線４２と外蓋面２０の左縁と外蓋面２０の上端縁とに囲まれる領域には、外蓋面２０の上端縁部から開封用破断線４２側に延伸した複数本の不正開封防止線４６が設けられている。この不正開封防止線４６は、切断部分と止め部分が交互に繰り返すことにより形成される直線であり、その開始部は切断部分である。また、この不正開封防止線４６は、背面２４の下端縁部から天面１０側に延伸して垂直に複数本設けられている。なお、不正開封防止線４６の本数は限定されず、必要に応じた数を設けることができる。
【００１９】
また、外蓋面２０の上面には、販売名等の各種情報を印刷するための記載欄２１が設けられている。なお、記載欄２１はユーザーが自由に記載可能な空白部とすることができる。
【００２０】
正面内蓋２２の中央部には、一旦開封した後に開封片４０を差し込むことで再び封止するための開封片綴込み用切れ目４８が設けられている。これにより、開封後にも開封片４０を開封片綴込み用切れ目４８に収納することで包装箱１を再封することができる。
【００２１】
更には、本実施形態の包装箱１は、図１に示すように、天面１０と側面１２との境界となる折罫線部分、および天面１０と糊代面１８との境界となる折罫線部分に、破断線４４が２本設けられている。この破断線４４は、断部分と止め部分が交互に繰り返すことにより形成されており、天面１０の中心領域まで延伸している。
【００２２】
また、包装箱１には、２本の破断線４４の端部同士を結ぶように形成された折り曲げ破断線５０が天面１０に設けられている。この折り曲げ破断線５０上には、開封片４０を差し込むための開封片差込口５２が形成されている。開封片差込口５２は、開封片４０と同サイズのミシン目である。
【００２３】
また、開封片差込口５２から外蓋面２０と天面１０との境界の折り曲げ破断線５４までの距離、すなわち折り曲げ破断線５０から折り曲げ破断線５４までの距離が、開封片４０の根元部分４１から折り曲げ破断線５４までの距離と等しくなる位置に折り曲げ破断線５０が形成されている。
【００２４】
背面内蓋２６の折罫線が設けられている側の端部には解体用破断線７０が設けられており、解体用破断線７０の中心が底面１４へ半円状に膨出することで押込片７２が形成されている。
【００２５】
更には、側面１６には、３つの破断線（表示片用第３破断線６６、表示片用第１破断線６２、表示片用第４破断線６８）によって囲まれた表示片が形成されている。この表示片は、第１表示片６１および第２表示片６３から構成されている。第１表示片６１と第２表示片６３とは、表示片用第２破断線６４により互いに切り離し可能になっている。
【００２６】
第１表示片６１は、品名表示領域、余白部およびＧＳ１コード等が付記されている。第２表示片６３は、使用期限や製造番号などが記載されている。
【００２７】
表示片に関係する表示片用第１破断線６２、表示片用第２破断線６４、表示片用第３破断線６６および表示片用第４破断線６８は、切断部分と止め部分とが交互に繰り返すことにより形成されている。
【００２８】
このうち、表示片用第１破断線６２は、表示片用第３破断線６６を介して表示片を破断させる場合に、表示片用第２破断線６４が破断されずに、表示片用第３破断線６６、表示片用第１破断線６２、表示片用第４破断線６８の順で破断されて、第１表示片６１および第２表示片６３が一体で側面１６から切り離されるよう形成されている。
【００２９】
表示片用第２破断線６４は、表示片用第４破断線６８を介して第１表示片６１を破断させる場合に、表示片用第１破断線６２が破断されずに、表示片用第４破断線６８、表示片用第２破断線６４、表示片用第３破断線６６の順で破断されて、第１表示片６１のみ側面１６から切り離されて第２表示片６３が側面１６から切り離されずに残るよう形成されている。
【００３０】
残りの表示片用第３破断線６６、表示片用第４破断線６８は、何れの方向からも切り離し可能に切断部分と止め部分とが構成されている。
【００３１】
＜組み立て方法＞
次に、本実施形態の包装箱１の組み立て方法について説明する。
【００３２】
まず、天面１０と側面１２との境界である折罫線、側面１２と底面１４との境界である折罫線、底面１４と側面１６との境界である折罫線、側面１６と糊代面１８との境界である折罫線でそれぞれ９０度に折り曲げる。
【００３３】
その後、糊代面１８の糊代２８に糊を塗布した後、側面１６を糊代面１８の表面上に糊着して胴部を組み立てる。
【００３４】
その後、２枚の背面側サイドフラップ３２をそれぞれ胴部が形成する開口部の内側に向かって折り曲げ、次いで背面内蓋２６を胴部が形成する開口部の内側に向かって折り曲げる。
【００３５】
その後、背面内蓋２６の糊代２７に糊を塗布した後に背面２４を胴部が形成する開口部の内側に向かって折り曲げて背面２４を背面内蓋２６の表面上に糊着し、開口部の一方を閉封する。この際、背面側サイドフラップ３２は背面２４や正面内蓋２２とは糊付けなどは行わず、固定されていない状態とする。
【００３６】
その後に、開口部から、物品（例えば、図２乃至図４に示すような、第１医薬品１０２や第２医薬品１０４、説明書１０６、等）を胴部の内部へ収容する。
【００３７】
その後、２枚の正面側サイドフラップ３０をそれぞれ胴部が形成する開口部の内側に向かって折り曲げ、次いで正面内蓋２２を胴部が形成する開口部の内側に向かって折り曲げる。
【００３８】
その後、正面内蓋２２の糊代２３に糊を塗布した後に、外蓋面２０を胴部が形成する開口部の内側に向かって折り曲げて外蓋面２０を正面内蓋２２の表面上に糊着し、開口部を閉封する。この際、正面側サイドフラップ３０は、正面内蓋２２や外蓋面２０とは糊付けなどは行わずに、固定されていない状態とする。
【００３９】
これにより物品を収容した包装箱１が組み立てられる。
【００４０】
〜動作，効果〜  
次に、上述のように構成された本実施形態の包装箱１の開封動作とその効果について図２乃至図４を用いて説明する。
【００４１】
図２乃至図４は包装箱の使用状態の一例を示す図である。
【００４２】
包装箱１を開封する際には、開封片４０を引き上げる。この引き上げの力が開封用破断線４２に伝わって破断し、外蓋面２０のうち記載欄２１を有する領域と不正開封防止線４６を有する領域とが分断される。不正開封防止線４６を有する領域が正面内蓋２２の表面に糊着された状態は維持される。継続して開封片４０を引き上げると、その力は破断線４４に伝わって破断線４４が２本とも破断する。破断線４４が全て破断した後は、開封が停止する。
【００４３】
本実施形態の包装箱１では、天面１０の外蓋面２０との境界の折り曲げ破断線５４側から、天面１０と側面１６との境界となる折罫線部分および天面１０と糊代面１８との境界となる折罫線部分に設けられている２本の破断線４４と、天面１０に設けられ、２本の破断線４４の折り曲げ破断線５４側とは反対側の端部同士を結ぶように形成された折り曲げ破断線５０と、外蓋面２０に設けられた開封片４０と、を備えている。
【００４４】
このため、開封後は、天面１０に設けられた折り曲げ破断線５０から山折りすることで開封口を半開状態で使用することが可能となる。このため、図２に示すように、包装箱１を平置きした状態で使用しても、包装箱１に内包されている第１医薬品１０２や第２医薬品１０４、説明書１０６を容易に取り出すことが可能である。また、図３に示すように縦置きした状態で使用しても、上述した特許文献１のような全開使用と比較して、側面１２，１６と折り曲げ破断線５０より背面側の天面１０と底面１４とよる４方向の壁が形成・維持されているため、第１医薬品１０２や第２医薬品１０４、説明書１０６を容易に取り出すことが可能である。
【００４５】
特に、図２乃至図４に示すように、種類の異なる医薬品（第１医薬品１０２や第２医薬品１０４）が説明書１０６等によって分かれて収容されている場合には、第１医薬品１０２と第２医薬品１０４とを半開状態の開封口から必要個数容易に取り出すことができ、本実施形態のような包装箱１はより効果的である。
【００４６】
このように、本実施形態の包装箱１によれば、包装箱１の置かれた状態に応じてユーザーが取り出しやすい状態で、収容された第１医薬品１０２や第２医薬品１０４等の物品を容易に取り出すことができ、ユーザーにとって取り扱いやすい包装箱１となっている。
【００４７】
更には、上述した特許文献１に記載されたような包装箱は、開封口が天面に存在し、糊の接着を剥がす一般的なプッシュ式開封方法であったのに対し、本実施形態の包装箱１は開封用破断線４２による開封であることから、より容易に開封することができるとともに、糊の接着も強固であり、改窟防止効果も期待できる、との利点を有している。
【００４８】
また、天面１０に設けられた折罫線は、折り曲げ破断線５０となっていることにより、図２，図３に示すように折り曲げた状態での半開状態の使用の他にも、破断させて外蓋面２０を天面１０側から取り外すことにより半開状態を維持した状態で使用することができ、使用状態に応じたより自由な包装箱１の使い方を実現することができる。
【００４９】
更に、正面側サイドフラップ３０と正面内蓋２２とが固定されていないため、図２乃至図４に示すように、第１医薬品１０２や第２医薬品１０４、説明書１０６を箱内から取り出しやすい、との利点を有している。
【００５０】
また、天面１０に設けられた折り曲げ破断線５０には、開封片４０を差し込むための開封片差込口５２が形成されていることで、図４に示すように、開封片４０を開封片差込口５２に差し込んで使用することもでき、折り曲げ破断線５０を設ける場合と同様に、半開状態を維持した状態で使用することができ、使用状態に応じたより自由な包装箱１の使い方を実現することができる。
【００５１】
更に、開封片４０の上面に販売名等の各種情報を印刷するための記載欄２１が設けられていることにより、ヒヤリ・ハットミスを防ぐ効果を含め製品名の確認をさせるメリットもあり、ユーザーにとって安心感を与えることが可能である。特に、図４に示すように、折り曲げ破断線５０で折り曲げて開封片４０を開封片差込口５２に差し込んで使用する際に、記載欄２１が強調して表示されるため、上記のメリットがより得られる。
【００５２】
また、開封片４０の根元部分４１から折り曲げ破断線５４までの距離と、折り曲げ破断線５４から開封片差込口５２までの距離が等しいことにより、もともと存在する折り曲げ破断線５４を１８０度折り曲げることで開封片４０を開封片差込口５２に差し込んで使用することができることから、より容易に開封片４０を開封片差込口５２に差し込むことができ、よりユーザーにとって利便性の高い包装箱１とすることができる。
【００５３】
＜その他＞  
なお、本発明は上記の実施形態に限られず、種々の変形、応用が可能なものである。上述した実施形態は本発明を分かりやすく説明するために詳細に説明したものであり、必ずしも説明した全ての構成を備えるものに限定されない。以下、図５乃至図９を用いて以下説明する。図５乃至図９は他の実施形態の包装箱の展開図である。
【００５４】
例えば、破断線４４は、図１に示すような天面１０と側面１２との境界となる折罫線部分および天面１０と糊代面１８との境界となる折罫線部分に設けられている場合に限られず、天面１０の外蓋面２０との境界となる折り曲げ破断線５４側から、天面１０の途中までもしくは側面１２、側面１６または糊代面１８の途中までの間のいずれかの領域に設けられたものであればよい。
【００５５】
一例としては、図５に示すように、包装箱１Ａは、折り曲げ破断線５４側から、天面１０の内側方向に傾斜して天面１０の中間領域部分まで延伸した破断線４４Ａを２本有するものとすることができる。
【００５６】
また、図５に示すような破断線４４Ａ以外にも、図６に示すように、包装箱１Ｂは、折り曲げ破断線５４側から、天面１０の内側で、天面１０と側面１６との境界となる折罫線や天面１０と糊代面１８との境界となる折罫線に対して平行に背面側に向けて延伸した破断線４４Ｂを２本有するものとすることができる。この場合、外蓋面２０Ｂは天面１０より幅が狭く、破断線４４Ｂの間隔と略同じとすることが望ましい。
【００５７】
更に、開封片４０の根元部分４１から折り曲げ破断線５４までの距離と、折り曲げ破断線５４から開封片差込口５２までの距離が等しい場合に限られず、図７に示すように、包装箱１Ｃは、破断線４４Ｃが図１などに示す破断線４４などに比べて長く、外蓋面２０と天面１０との境界の折り曲げ破断線５４Ｃの他に別途新たに折罫線５５Ｃを設けることができる。この場合、開封片４０の根元部分４１から折罫線５５Ｃまでの距離と、折罫線５５Ｃから折り曲げ破断線５０Ｃ上の開封片差込口５２Ｃまでの距離が等しいものとすることが望ましい。
【００５８】
また、開封片差込口５２は、折り曲げ破断線５０上に形成されている場合に限られず、図８に示すように、包装箱１Ｄは、破断線４４Ｄが図１などに示す破断線４４などに比べて長く、折り曲げ破断線５０Ｄではなく、開封片４０を差し込むための開封片差込口５２が天面１０に形成されているものとすることができる。なお、図８に示すように、開封片４０の根元部分４１から折り曲げ破断線５４Ｄまでの距離と、折り曲げ破断線５４Ｄから開封片差込口５２Ｄまでの距離が等しいものとすることができるが、図７に示すように、別途折罫線または折り曲げ破断線を天面１０上に設けて、開封片４０の根元部分４１から折り曲げ破断線５４Ｄまでの距離が、折り曲げ破断線５４Ｄから開封片差込口５２Ｄまでの距離と異なるものとすることができる。
【００５９】
更に、天面上折罫線は破断可能な折り曲げ破断線とする必要はなく、図９に示すように、包装箱１Ｅは、天面１０に設けられ、２本の破断線４４の端部同士を結ぶように形成された折罫線５０Ｅのように、破断可能に構成されていない折罫線とすることができる。この場合においても、開封片４０を差し込むための開封片差込口５２Ｅをミシン目等によって形成することができる。また、同様に、天面１０の外蓋面２０との境界の折り曲げ破断線に追もて、図９に示すように、折罫線５４Eとすることができる。
【符号の説明】
【００６０】
１，１Ａ，１Ｂ，１Ｃ，１Ｄ，１Ｅ…包装箱
１０…天面
１２…側面（第１側面，第２側面）
１４…底面
１６…側面（第１側面，第２側面）
１８…糊代面
２０，２０Ｂ…外蓋面（正面側外蓋面）
２１…記載欄
２２…正面内蓋（正面側内蓋面）
２３…糊代
２４…背面（背面側外蓋面）
２６…背面内蓋（背面側内蓋面）
２７…糊代
２８…糊代
３０…正面側サイドフラップ
３２…背面側サイドフラップ
４０…開封片
４１…根元部分
４２…開封用破断線
４４，４４Ａ，４４Ｂ，４４Ｃ，４４Ｄ…破断線
４６…不正開封防止線
４８…開封片綴込み用切れ目
５０，５０Ｃ，５０Ｄ…折り曲げ破断線（天面上折罫線）
５０Ｅ…折罫線（天面上折罫線）
５２，５２Ｃ，５２Ｄ，５２Ｅ…開封片差込口
５４，５４Ｃ，５４Ｄ…折り曲げ破断線
５４Ｅ…折罫線
５５Ｃ…折罫線
６１…第１表示片
６２…表示片用第１破断線
６３…第２表示片
６４…表示片用第２破断線
６６…表示片用第３破断線
６８…表示片用第４破断線
７０…解体用破断線
７２…押込片
１０２…第１医薬品
１０４…第２医薬品
１０６…説明書
【図１】
2019089560.tif 000003
【図２】
2019089560.tif 000004
【図３】
2019089560.tif 000005
【図４】
2019089560.tif 000006
【図５】
2019089560.tif 000007
【図６】
2019089560.tif 000008
【図７】
2019089560.tif 000009
【図８】
2019089560.tif 000010
【図９】
2019089560.tif 000011